(57)【要約】【課題】虫類の捕捉や駆除が可能であるとともに虫類の捕捉や駆除以外の機能を有する装置であって、捕捉や駆除の対象を簡易に変更等できるものを提供すること。【解決手段】プロジェクタ本体２１により像光ＩＬを投射し、誘引光射出部２３により感応光ＳＬを射出する。この場合、プロジェクタ本体２１によって広告等の画像表示が行われ、誘引光射出部２３によって対象虫の誘引が行われる。なお、以上のような捕虫に際して感応光ＳＬの波長を変化させることにより、各種虫類の存在状況や分布状況を把握することができる。【選択図】図１
2008040204.tif 000002
【特許請求の範囲】
【請求項１】
光源と、
前記光源からの光束を画像情報に応じて変調する光変調装置と、
前記光変調装置を経た像光を投射する投射光学系と、
対象生物が反応を示す所定波長の感応光を射出する感応光射出部と、
を備えるプロジェクタ。
【請求項２】
前記感応光射出部の周辺に配置され、前記感応光射出部の周辺に集まった対象生物を捕捉する捕捉器をさらに備える請求項１記載のプロジェクタ。
【請求項３】
前記感応光射出部は、前記光源から射出された紫外光を分岐するとともに前記所定波長の感応光として前記感応光射出部に導く分岐導光手段を有する請求項１及び請求項２のいずれか一項記載のプロジェクタ。
【請求項４】
前記感応光射出部は、前記所定波長の感応光を発生する感応光発生源を有する請求項１及び請求項２のいずれか一項記載のプロジェクタ。
【請求項５】
前記感応光射出部の周辺に集まった対象生物が前記照明光学系及び前記光変調装置を含む内部に入り込むことを防止する保護カバーをさらに備える請求項１から請求項４のいずれか一項記載のプロジェクタ。
【請求項６】
前記感応光射出部は、前記所定波長の感応光の波長を変更する波長切替手段を含む請求項１から請求項５のいずれか一項記載のプロジェクタ。
【請求項７】
前記感応光射出部は、前記投射光学系から当該投射光学系によって像光が投射されるスクリーンに至るまでの光路上から外れた位置において前記所定波長の感応光を射出する請求項１から請求項６のいずれか一項記載のプロジェクタ。
【発明の詳細な説明】
【技術分野】
【０００１】
本発明は、屋外その他の昆虫等が集まりやすい場所で使用される画像投射用のプロジェクタに関する。
【背景技術】
【０００２】
照明光に集まる種虫等の習性を利用してこれを捕捉するための捕虫器として、紫外線を発する誘引灯と、当該誘引灯を支持するケースと、誘引灯及びケースの間にあって誘引灯の光を前方に反射する反射鏡とを備え、粘着面を反射鏡の背面側であってケースの内面側に配置したものが存在する（特許文献１参照）。その他、生け捕り用の仕組みを設けた捕虫器（特許文献２参照）、透明粘着板と害虫誘引色着色板とを重ねて使用する捕虫具（特許文献３参照）等も公知になっている。
【０００３】
また、動画や静止画であるカラー画像をスクリーン上に投射するため、光源、色光分離用の光学系、各色用の液晶パネル、色合成プリズム、投射レンズ等で構成される各種プロジェクタが開発されている（例えば特許文献４等参照）。
【特許文献１】特公平４−２２１２公報
【特許文献２】特公平２−５３８１公報
【特許文献３】特公平３−６２３７５公報
【特許文献４】特開２００５−１２１６８８号公報
【発明の開示】
【発明が解決しようとする課題】
【０００４】
しかし、上記捕虫器は、いずれも虫類等を単に捕捉するだけであり、虫類捕捉以外の機能を有しない。また、捕虫器に集める虫類を選択するため、糖蜜やフェロモン等の誘引源を使い分けることも考えられるが、持続性や簡便性の観点で使い勝手が良くない。
【０００５】
一方、プロジェクタは、本来屋内での使用を前提とするものであるが、広告その他の表示のため夜間屋外で使用することも考えられる。その際、プロジェクタの投射光に誘引されて虫類が集まると考えられるが、誘引された虫類がプロジェクタによる表示を妨げる可能性もある。
【０００６】
そこで、本発明は、虫類の捕捉や駆除が可能であるとともに単なる虫類の捕捉や駆除以外の付加的機能を有する装置であって、捕捉や駆除の対象を簡易に変更等できるものを提供することを目的とする。
【０００７】
また、本発明は、屋外で使用しても表示の妨げが生じにくいプロジェクタであって、虫類の捕捉等が可能なプロジェクタを提供することを目的とする。
【課題を解決するための手段】
【０００８】
上記課題を解決するため、本発明に係るプロジェクタは、（ａ）光源と、（ｂ）光源からの光束を画像情報に応じて変調する光変調装置と、（ｃ）光変調装置を経た像光を投射する投射光学系と、（ｄ）対象生物が反応を示す所定波長の感応光を射出する感応光射出部とを備える。
【０００９】
上記プロジェクタでは、光源、光変調装置、及び投射光学系によって離れた位置にあるスクリーン上に拡大等された画像を投射することができるだけでなく、感応光射出部が、対象生物が反応を示す所定波長の感応光を射出するので、感応光射出部の周辺に対象生物を集めることができ、或いは感応光射出部の周辺から対象生物を追い払うことができる。
【００１０】
本発明の具体的な態様又は側面によれば、上記プロジェクタにおいて、感応光射出部の周辺に配置され、感応光射出部の周辺に集まった対象生物を捕捉する捕捉器をさらに備える。この場合、感応光射出部の周辺に集まった対象生物を捕捉器によって効率的に捕捉することができる。
【００１１】
本発明の別の態様では、感応光射出部が、光源から射出された紫外光を分岐するとともに所定波長の感応光として感応光射出部に導く分岐導光手段を有する。この場合、光変調部の照明用の光源から射出される紫外光を所定波長の感応光として有効に活用することができる。
【００１２】
本発明のさらに別の態様では、感応光射出部が、所定波長の感応光を発生する感応光発生源を有する。この場合、プロジェクタの画像投射光とは別に感応光発生源を設けるので、感応光の波長設定等の自由度を高めることができる。
【００１３】
本発明のさらに別の態様では、感応光射出部の周辺に集まった対象生物が照明光学系及び光変調装置を含む内部に入り込むことを防止する保護カバーをさらに備える。この場合、プロジェクタ本体の内部に対象生物が入り込んでプロジェクタの投射機能等が損なわれることを防止できる。
【００１４】
本発明のさらに別の態様では、感応光射出部が所定波長の感応光の波長を変更する波長切替手段を含む。この場合、波長切替手段の設定によって補足器に集める虫類等を選択・選別することができる。
【００１５】
本発明のさらに別の態様では、感応光射出部が、投射光学系から当該投射光学系によって像光が投射されるスクリーンに至るまでの光路上から外れた位置において所定波長の感応光を射出する。この場合、感応光射出部の周辺に集まった対象生物が投射光学系によるスクリーン上への像光の投射を妨げることを防止できる。
【発明を実施するための最良の形態】
【００１６】
〔第１実施形態〕
図１（ａ）及び１（ｂ）は、本発明の第１実施形態に係るプロジェクタを説明する側方断面図及び平面図である。図２は、プロジェクタ本体２１の内部構造を概念的に説明する平面図である。なお、回路装置７０は、プリント基板上に搭載された電子部品からなり、ケース部材２１ａ内の適所に収められるものであるが、図２では便宜上ケース部材２１ａ外に表示している。
【００１７】
図示のプロジェクタ１０は、広告等の画像投射用のプロジェクタ本体２１と、対象生物である対象虫に感応させて、対象虫を誘引するための感応光射出部である誘引光射出部２３と、対象虫を捕捉するための捕捉器２５と、対象虫の進入防止用の保護カバー２７と、支持用の設置装置２９とを備える。
【００１８】
プロジェクタ本体２１は、画像形成及び画像投射用の映像光学装置であり、光源光のうち可視光を均一化して照明光を形成する光源装置３０と、光源装置３０を経た照明光を赤・緑・青の３色に分離する色分離光学系４０と、色分離光学系４０から射出された各色の照明光によって照明される光変調部５０と、光変調部５０を経た各色の変調光を合成するクロスダイクロイックプリズム６１と、クロスダイクロイックプリズム６１から射出された像光ＩＬをスクリーン（不図示）に投射する投射レンズ６３と、装置全体の動作を制御するための回路装置７０とを備える。これらの光源装置３０、色分離光学系４０、光変調部５０、クロスダイクロイックプリズム６１、投射レンズ６３、及び回路装置７０は、遮光性を有するケース部材２１ａ中に不図示の電源等とともに収納されている。なお、光源装置３０と色分離光学系４０とは、照明光を形成する照明光学系を構成する。
【００１９】
誘引光射出部２３は、プロジェクタ本体２１から分岐した紫外光を、プロジェクタ本体２１の像光ＩＬと略同一方向に適当なタイミングで射出する。誘引光射出部２３は、プロジェクタ本体２１の光源装置３０から取り出された紫外光を反射して光路を折り曲げるミラー８１と、このミラー８１を経た紫外光を遮断可能なシャッタ８２と、シャッタ８２を経た紫外光のうち特定波長の感応光ＳＬを透過させるフィルタ８３と、フィルタ８３を経た感応光ＳＬを外部に射出させるための射出窓８４と、プロジェクタ本体２１のケース部材２１ａ上部に固定されて全体を覆う遮光部材８６とを備える。
【００２０】
ミラー８１は、プロジェクタ本体２１の光源装置３０から上方のケース部材２１ａ外に分岐された紫外光を水平方向に折り曲げることによって、この紫外光を遮光部材８６内の光路に沿って導く。なお、光源装置３０に設けた光源ランプは、投射像の形成に必要な可視光のほかに投射像の形成に不要な紫外光を発生するが、このような紫外光をプロジェクタ本体２１中に閉じ込めた場合、光変調部５０やケース部材２１ａ等に紫外線のダメージが発生する可能性がある。上記のように、紫外光をケース部材２１ａ外に分岐することで、プロジェクタ本体２１の寿命を長くすることができると考えられる。
【００２１】
シャッタ８２は、誘引光射出部２３から感応光ＳＬを射出させるタイミングを調節するためのものである。具体的には、夜間の特定時刻に感応光ＳＬを射出させ、或いは固有の周期で感応光ＳＬを射出させ、又はプロジェクタ本体２１の動作と同期させて感応光ＳＬを射出させることができる。シャッタ８２は、例えばプロジェクタ本体２１に設けた回路装置７０からの制御信号によって駆動されるが、ユーザが操作するボタンによって駆動されるものとすることもできる。
【００２２】
フィルタ８３は、誘引光射出部２３から射出させる感応光ＳＬの波長を調節するためのものである。フィルタ８３は、例えば特定の対象虫を誘引可能な特定波長の感応光ＳＬを選択的に透過させるバンドパスフィルタである。これにより、対象虫のみを、誘引光射出部２３の周辺、つまり射出窓８４からスクリーン（不図示）にかけての光路上に集めることができる。なお、フィルタ８３は、例えば特定の対象虫を駆除可能な特定波長の感応光ＳＬを選択的に透過させるバンドパスフィルタとすることもできる。これにより、対象虫のみを、誘引光射出部２３の周辺、つまり射出窓８４からスクリーン（不図示）にかけての光路上から追い払うことができる。
【００２３】
以上のフィルタ８３は、必要に応じて交換することができる。つまり、集めたり追い払う対象虫の種類に応じて透過させる波長も変更する必要があり、ユーザは、現在光路上に配置された特定特性のフィルタを別特性のフィルタに適宜交換することができる。なお、フィルタ８３は、フィルタ交換機構に組み込むことができ、このようなフィルタ交換機構は、例えばプロジェクタ本体２１に設けた回路装置７０からの制御信号によって駆動され、適当なタイミングで現在光路上にあるフィルタを別特性のフィルタに切り替えることができる。
【００２４】
射出窓８４は、遮光部材８６の外部に紫外の感応光ＳＬを射出する部分であり、この場合、プロジェクタ本体２１の投射レンズ６３に隣接して配置される。射出窓８４は、例えばレンズを含むものとすることができ、射出窓８４から射出させる感応光ＳＬの発散度を調整できるようになっている。
【００２５】
捕捉器２５は、プロジェクタ本体２１及び誘引光射出部２３の正面側に配置されて、感応光ＳＬによって集められた対象虫を捕捉する。捕捉器２５は、箱状のケース２５ａからなり、ケース２５ａは、側面に像光ＩＬや感応光ＳＬを透過させる窓２５ｃ，２５ｄを有し、底部に薬液ＳＣを溜めて保持するための薬液溜ＣＣを備える。薬液溜ＣＣ中の薬液ＳＣは、水、糖水等の誘引剤とすることもできるが、ここでは捕虫の効率向上のため殺虫剤としている。なお、薬液溜ＣＣは、粘着剤等を設置する捕虫板に置き換えることができ、さらに、生け捕りを可能にする迷路状の仕組みとすることもできる。
【００２６】
保護カバー２７は、プロジェクタ本体２１や誘引光射出部２３の内部に対象虫等が入り込むことを防止するとともに、プロジェクタ本体２１や誘引光射出部２３が風雨にさらされて劣化の進行が著しくなることを防止する。ただし、保護カバー２７の正面側には、プロジェクタ本体２１の投射レンズ６３と、誘引光射出部２３の射出窓８４とを外部に臨ませるように開口が設けられており、投射レンズ６３からの像光ＩＬや射出窓８４からの感応光ＳＬを捕捉器２５側に射出させることができるようになっている。
【００２７】
設置装置２９は、プロジェクタ本体２１や捕捉器２５を支持する台座２９ａと、台座２９ａを野外において必要な高さに保持する支柱２９ｂとを備える。台座２９ａの適所には、保護カバー２７内を換気するための換気口２９ｄが形成されている。換気口２９ｄは、新鮮な外気を取り込むとともに、プロジェクタ本体２１等が発生する熱気を外部に放出する。換気口２９ｄには、不図示のフィルタが設けられており、このフィルタは、虫や埃が内部に進入することを防止している。
【００２８】
図２において、プロジェクタ本体２１の光源装置３０は、平行な光源光束を形成するためのランプ及び凹面鏡からなるランプ部３１と、ランプ部３１から射出された光源光を均一な照明光とするとともに照明光を所定の偏光成分に変換する均一化光学系３３とを備える。ランプ部３１に組み込まれたランプは、光源として、可視域の光源光と紫外域の誘引光とを発生する。ランプ部３１は、例えば高圧水銀ランプやメタルハライドランプで構成され、誘引光として波長３００〜４００ｎｍの紫外光を発生する。なお、均一化光学系３３には、均一化のためのレンズアレイや偏光変換用のプリズムアレイのほかに、分岐導光手段である紫外線反射ミラー３３ａが設けられている。紫外線反射ミラー３３ａは、ランプ部３１から射出されて水平光路に略沿って進む光源光のうち紫外領域の光を垂直上方に折り曲げることによって、この紫外光を誘引光射出部２３に入射させる。紫外線反射ミラー３３ａは、ランプ部３１から射出された光源光のうち可視光をそのまま透過させ、次段のレンズアレイやプリズムアレイに入射させる。
【００２９】
色分離光学系４０は、第１及び第２ダイクロイックミラー４１ａ，４１ｂと、反射ミラー４２ａ，４２ｂ，４２ｃとを備える。この色分離光学系４０は、均一化光学系３３を経た照明光を赤色光、緑色光、及び青色光の３つの光束に分離する。すなわち、第１ダイクロイックミラー４１ａは、赤・緑・青（Ｒ・Ｇ・Ｂ）の３色のうち赤色光ＬＲを反射し、緑色光ＬＧと青色光ＬＢとを透過させる。また、第２ダイクロイックミラー４１ｂは、入射した緑色光ＬＧ及び青色光ＬＢのうち緑色光ＬＧを反射し青色光ＬＢを透過させる。
【００３０】
光変調部５０は、光変調装置として、３色の照明光ＬＲ，ＬＧ，ＬＢがそれぞれ入射する３つの液晶ライトバルブ５１ｒ，５１ｇ，５１ｂを備える。各液晶ライトバルブ５１ｒ，５１ｇ，５１ｂは、液晶パネル（液晶表示パネル）と、これを挟む一対の偏光フィルタとで構成される。この光変調部５０において、赤色光ＬＲは、液晶ライトバルブ５１ｒの画像形成領域に入射し、緑色光ＬＧは、液晶ライトバルブ５１ｇの画像形成領域に入射し、青色光ＬＢは、液晶ライトバルブ５１ｂの画像形成領域に入射する。各液晶ライトバルブ５１ｒ，５１ｇ，５１ｂは、入射した照明光に対してその偏光方向の空間的分布を変化させる。つまり、各液晶ライトバルブ５１ｒ，５１ｇ，５１ｂにそれぞれ入射した各色光ＬＲ，ＬＧ，ＬＢは、各液晶ライトバルブ５１ｒ，５１ｇ，５１ｂに画像情報である電気的信号として入力された駆動信号或いは制御信号に応じて、画素単位で偏光状態が調整され、不図示の偏光フィルタの通過に伴って画素単位で強度変調される。
【００３１】
クロスダイクロイックプリズム６１は、カラー画像を合成するための光合成光学系であり、その内部には、赤色光反射用の第１ダイクロイック膜６１ａと、青色光反射用の第２ダイクロイック膜６１ｂとが、Ｘ字状に配置されている。このクロスダイクロイックプリズム６１は、液晶ライトバルブ５１ｒからの赤色光ＬＲを第１ダイクロイック膜６１ａで反射し、液晶ライトバルブ５１ｇからの緑色光ＬＧを両ダイクロイック膜６１ａ，６１ｂを介して直進させ、液晶ライトバルブ５１ｂからの青色光ＬＢを第２ダイクロイック膜６１ｂで反射する。
【００３２】
このようにクロスダイクロイックプリズム６１で合成された像光ＩＬは、投射光学系である投射レンズ６３を経て、適当な拡大率で、クリーン（不図示）上にカラー画像として投射される。
【００３３】
回路装置７０は、ビデオ信号等の外部画像信号が入力される画像処理部７１と、画像処理部７１の出力に基づいて各液晶ライトバルブ５１ｒ，５１ｇ，５１ｂを駆動するライトバルブ駆動部７２と、光源装置３０のランプ部３１の電源を制御してランプ部３１を点灯したり消灯することができる光源駆動部７４と、誘引光射出部２３に設けたフィルタ８３用のフィルタ交換機構等を動作させるフィルタ・シャッタ駆動部７５と、これらの回路部分７１，７２，７３，７４，７５の動作を統括的に制御する主制御部７７とを備える。
【００３４】
回路装置７０において、画像処理部７１は、主制御部７７からの指令に基づいて、これに保管した多数の画像データを切り替えつつ随時読み出して内部画像信号を生成することができ、又は、プロジェクタ１０の所有者が送信した外部画像信号を受信するとともにこれに対して色補正や歪補正等の各種画像処理を行う。なお、画像処理部７１は、画像読み出しや画像処理のほか、ＯＳＤＣ（on screen display control）の機能に基づいて、静止画や動画の画像信号に対して文字情報等を含む各種表示情報を併せて表示させる画像信号を合成することができる。これにより、屋外での広告を時宜に対応させることができ、広告をより多様性があるものにできる。
【００３５】
ライトバルブ駆動部７２は、画像処理部７１から出力された画像処理後の画像信号に基づいて各液晶ライトバルブ５１ｒ，５１ｇ，５１ｂの表示状態を調節する駆動信号を発生する。これにより、画像処理部７１から出力された画像信号に対応して、液晶パネル及びこれらに付随する偏光板からなる液晶ライトバルブ５１ｒ，５１ｇ，５１ｂにおいて、透過率分布としての画像を形成することができる。
【００３６】
光源駆動部７４は、主制御部７７からの指令に基づいて、ランプ部３１を点灯させたり消灯させたりすることができる。つまり、この光源駆動部７４により、必要なタイミングで、分離照明系４０に可視の光源光を供給したり、誘引光射出部２３に紫外光を供給したりすることができる。
【００３７】
フィルタ・シャッタ駆動部７５は、主制御部７７からの指令に基づいて、誘引光射出部２３に設けたシャッタ８２やフィルタ交換機構（不図示）を動作させることができる。つまり、必要なタイミングで、誘引光射出部２３中のシャッタ８２を開閉し或いはフィルタ８３を切り替えて、誘引光射出部２３から感応光ＳＬを射出させるタイミングを調整したり、感応光ＳＬの波長を対象虫の変更等に応じて切り替えることができる。ここで、上記フィルタ交換機構とフィルタ・シャッタ駆動部７５とは、感応光ＳＬの波長を切り替える波長切替手段として機能する。
【００３８】
主制御部７７は、制御装置としてプロジェクタ１０の全体的な動作を制御するものであり、マイクロコンピュータ等からなるとともに、プロジェクタ１０の動作に必要なデータを保持するメモリ等を内蔵する。なお、主制御部７７に接続されたキー入力部９１は、主制御部７７に対してユーザの指示を入力するための入力装置として機能する。ユーザは、キー入力部９１を操作することによって、プロジェクタ１０による投射状態の調節を行わせることができるとともに、ランプ部３１の点滅、シャッタ８２の開閉、フィルタ８３の切替等を行わせることができる。さらに、ユーザは、キー入力部９１を操作することによって、プロジェクタ１０によって投射すべき画像を切り替えることもできる。
【００３９】
図３は、図１等に示すプロジェクタ１０の一動作例を説明するタイミングチャートである。ここで、図３（ａ）は、プロジェクタ本体２１による像光ＩＬの投射を示し、図３（ｂ）は、誘引光射出部２３による感応光ＳＬの射出を示す。この場合、プロジェクタ本体２１によって間欠的に広告等の画像表示が行われ、これら画像表示の連続する２回のうち１回において、感応光ＳＬによる対象虫の誘引が行われる。なお、以上は例示であり、像光ＩＬによる画像表示や、感応光ＳＬによる対象虫の誘引のタイミングや頻度は、目的に応じて適宜変更することができる。
【００４０】
また、以上のような捕虫に際して感応光ＳＬの波長を変化させることにより、各種虫類の存在状況や分布状況を把握することができる。この際、時刻、日、月、年等が異なる捕を繰り返すことで、環境モニタリングも可能になる。なお、捕捉器２５で捕捉した虫類を生け捕りするならば、捕捉した虫類の育成状態や生態を観察することもできる。
【００４１】
その他、誘引光射出部２３を利用して捕捉器２５によって採取される昆虫の種類及び個数を記録しておくことにより、プロジェクタ１０を設置した周辺の環境保全状況をチェックすることができる。ここで、採取される昆虫が多い等、未開拓地域であると判断される場合、歩行者よりも自動車の通行量が多いと考えられ、プロジェクタ１０による投射画像を自動車のドライバからも見やすいように大きな文字とすることが考えられる。
【００４２】
〔第２実施形態〕
図４は、第２実施形態に係るプロジェクタを説明する側方断面図である。第２実施形態のプロジェクタ１１０は、図１等に示す第１実施形態のプロジェクタ１０を変形したものであり、特に説明しない部分は、第１実施形態と同様であるものとする。
【００４３】
本プロジェクタ１１０の誘引光射出部１２３は、独自の光源を有し、プロジェクタ本体２１と独立して動作する。つまり、誘引光射出部１２３は、対象生物が感応する紫外光や可視光を発生する感応光発生源としてのランプ光源１８９と、ランプ光源１８９からの光のうち特定波長の感応光ＳＬを透過させるフィルタ８３と、フィルタ８３を経た感応光ＳＬを外部に射出させるための射出窓８４と、全体を覆う遮光部材８６とを備える。このため、プロジェクタ本体２１に設けた光源装置１３０中において、誘引光分岐用の紫外線反射ミラー３３ａが省略されている。
【００４４】
本プロジェクタ１１０を用いた場合、感応光ＳＬの波長や射出タイミングの自由度を高めることができる。なお、誘引光射出部１２３において、フィルタ８３のみならずランプ光源１８９を交換或いは切替可能にすることができる。
【００４５】
本プロジェクタ１１０においても、フィルタ８３の切替等によって誘引対象とする昆虫を切り替えることができる。例えば、通常の昆虫は、波長３６０ｎｍ程度の紫外線に強く誘引されるが、これに限らず、例えばオオンシツコナジラミは５７４ｎｍ前後の冴えた黄色光に誘引され、ミナミキイロアザミウマ、ヒラズハナアザミウマ等は青色に誘引されることが分かっている。
【００４６】
以上実施形態に即して本発明を説明したが、本発明は、その要旨を逸脱しない範囲において種々の態様で実施することが可能であり、例えば次のような変形も可能である。
【００４７】
例えば、上記実施形態では、プロジェクタ本体２１によって可視域の像光ＩＬを投射するものとしたが、分離照明系４０の光学素子の切替等によって、液晶ライトバルブ５１ｒ，５１ｇ，５１ｂに紫外光を導くこともできる。この場合、液晶ライトバルブ５１ｒ，５１ｇ，５１ｂに紫外光画像を形成させることができるので、像光ＩＬをそのまま感応光ＳＬとして用いて対象虫を誘引したり駆除したりすることができる。
【００４８】
また、上記実施形態では、誘引光射出部２３，１２３によって、害虫や益虫を捕捉する場合について説明したが、海洋や湖面に感応光ＳＬを投射するならば、海上や湖上での画像投射と併せて集魚、捕捉等が可能になる。
【００４９】
また、上記実施形態では、虫類を捕捉する場合について説明したが、プロジェクタ１０，１１０の設置場所に応じ、画像投射と併せて指光性を有するバクテリア、植物等の捕捉が可能になる。
【００５０】
また、上記実施形態では、プロジェクタ本体２１の投射レンズ６３と、誘引光射出部２３の射出窓８４とを隣接して配置しているが、投射レンズ６３と射出窓８４とを互いに離れた位置に配置することもできる。この場合、投射レンズ６３の周辺に対象虫が集まることを防止でき、像光ＩＬの光路上に集まった虫類等によって画像投射が妨げられる可能性を低減できる。
【００５１】
また、第２実施形態では、誘引光射出部１２３を単一のランプ光源１８９で構成しているが、誘引光射出部１２３を複数のランプ光源１８９で構成し、１又は２以上のランプ光源１８９を切り替えて点灯することができる。また、光源としてはランプ以外のＬＥＤ等でも、対象生物が反応を示す所定波長の感応光を射出するものであれば良い。
【００５２】
また、上記実施形態では、色分離光学系４０を用いて照明光の色分離を行って、光変調部５０において各色の変調を行った後に、クロスダイクロイックプリズム６１において各色の像の合成を行っているが、単一の液晶パネルすなわち液晶ライトバルブによって画像を形成することもできる。また、また、本発明は、２つの液晶パネルを用いたプロジェクタ、あるいは、４つ以上の液晶パネルを用いたプロジェクタにも適用可能である。
【００５３】
また、上記実施形態では、液晶ライトバルブを用いて画像すなわち像光ＩＬを形成しているが、デジタル・マイクロミラー・デバイス等の反射型のライトバルブすなわち光変調装置を用いて像光ＩＬを形成することもできる。この場合、デジタル・マイクロミラー・デバイスを可視光のほか紫外光で照明することによって、像光ＩＬと感応光ＳＬとを並行して形成することができる。
【図面の簡単な説明】
【００５４】
【図１】第１実施形態に係るプロジェクタの側方断面図である。
【図２】図１のプロジェクタの内部構造を示すブロック図である。
【図３】（ａ）、（ｃ）は、図１のプロジェクの動作例を説明するタイミングチャートである。
【図４】第２実施形態のプロジェクタを説明する側方断面図である。
【符号の説明】
【００５５】
１０…プロジェクタ、  ２１…プロジェクタ本体、  ２１ａ…ケース部材、  ２３…誘引光射出部、  ２５…捕捉器、  ２５ａ…ケース、  ２５ｃ，２５ｄ…窓、  ２７…保護カバー、  ２９…設置装置、  ３０…光源装置、  ３１…ランプ部、  ３３…均一化光学系、  ３３ａ…紫外線反射ミラー、  ４０…分離照明系、  ４１ａ，４１ｂ…ダイクロイックミラー、  ５０…光変調部、  ５１ｒ，５１ｇ，５１ｂ…液晶ライトバルブ、  ６１…クロスダイクロイックプリズム、  ６３…投射レンズ、  ７０…回路装置、  ７１…画像処理部、  ７２…ライトバルブ駆動部、  ７４…光源駆動部、  ７５…フィルタ・シャッタ駆動部、  ７７…主制御部、  ８１…ミラー、  ８２…シャッタ、  ８３…フィルタ、  ８６…遮光部材、  ９１…キー入力部、  ＣＣ…薬液溜、  ＬＲ，ＬＧ，ＬＢ…色光、  ＳＣ…薬液、  ＳＬ…感応光、  ＩＬ…像光
【図１】
2008040204.tif 000003
【図２】
2008040204.tif 000004
【図３】
2008040204.tif 000005
【図４】
2008040204.tif 000006